(57)【特許請求の範囲】
【請求項１】
可動家具部（１０２）を家具枠体（１０１）の閉端位置から排出させるための排出器（１００）であって、
電気駆動装置によって駆動可能な排出レバー（１）を含んでおり、  前記排出レバー（１）は、第1の排出レバー部（１１）と、それに対して可動な第２の排出レバー部（１２）とを有しており、
排出プロセス中に、前記２本の排出レバー部（１１、１２）の相対的移動によって、前記排出レバー（１）の長さを変化させる調節装置（２）がさらに含まれていることを特徴とする排出器（１００）。
【請求項２】
前記電気駆動装置は、電動モータであることを特徴とする請求項１記載の排出器。
【請求項３】
前記排出レバー（１）は、排出プロセス中にその長さを増加させることを特徴とする請求項１又は２記載の排出器。
【請求項４】
前記排出レバー（１）は、排出プロセス中にその長さを減少させることを特徴とする請求項１又は２記載の排出器。
【請求項５】
前記調節装置（２）は、トランスミッション（３０）を有することを特徴とする請求項１から４のいずれかに記載の排出器。
【請求項６】
前記調節装置（２）は、少なくとも部分的に前記排出レバー（１）の内部に提供されていることを特徴とする請求項１から５のいずれかに記載の排出器。
【請求項７】
前記調節装置（２）は、完全に前記排出レバー（１）の内部に提供されていることを特徴とする請求項１から５のいずれかに記載の排出器。
【請求項８】
前記調節装置（２）は、少なくとも部分的に前記排出レバー（１）の上に提供されており、および／または少なくとも前記排出レバー（１）の可動な前記第２の排出レバー部（１２）の上に配置されていることを特徴とする請求項１から７のいずれかに記載の排出器。
【請求項９】
前記調節装置（２）は、少なくとも部分的に前記排出レバー（１）の上に提供されており、および／または少なくとも前記排出レバー（１）の直線的に可動な前記第２の排出レバー部（１２）の上に配置されていることを特徴とする請求項１から７のいずれかに記載の排出器。
【請求項１０】
前記調節装置（２）は、前記排出レバー部（１２）を移動させるレバー機構（２０）を有することを特徴とする請求項１から４のいずれかに記載の排出器。
【請求項１１】
前記調節装置（２）は、前記排出レバー部（１２）を移動させるレバー機構（２０）およびトランスミッション（３０）を有することを特徴とする請求項１から４のいずれかに記載の排出器。
【請求項１２】
前記調節装置（２）は、少なくとも部分的に前記排出レバー（１）の内部に提供されていることを特徴とする請求項１０又は１１に記載の排出器。
【請求項１３】
前記調節装置（２）は、完全に前記排出レバー（１）の内部に提供されていることを特徴とする請求項１０又は１１に記載の排出器。
【請求項１４】
前記調節装置（２）は、少なくとも部分的に前記排出レバー（１）の上に提供されており、および／または少なくとも前記排出レバー（１）の可動な前記第２の排出レバー部（１２）の上に配置されていることを特徴とする請求項１０から１３のいずれかに記載の排出器。
【請求項１５】
前記調節装置（２）は、少なくとも部分的に前記排出レバー（１）の上に提供されており、および／または少なくとも前記排出レバー（１）の直線的に可動な前記第２の排出レバー部（１２）の上に配置されていることを特徴とする請求項１０から１３のいずれかに記載の排出器。
【請求項１６】
前記レバー機構（２０）は、少なくとも一つのレバー（２１、２２）を有しており、
排出プロセス中、前記レバー（２１、２２）は、前記可動な第２の排出レバー部（１２）を直線的に前記第１の排出レバー部（１１）に対して移動させることを特徴とする請求項１１から１５のいずれかに記載の排出器。
【請求項１７】
前記レバー機構（２０）は、二つのレバー（２１、２２）を有しており、
排出プロセス中、前記レバー（２１、２２）は、前記可動な第２の排出レバー部（１２）を直線的に前記第１の排出レバー部（１１）に対して移動させることを特徴とする請求項１１から１５のいずれかに記載の排出器。
【請求項１８】
前記可動な第２の排出レバー（１２）は、前記排出レバー（１）の前記レバー機構（２０）によって移動されない前記第１の排出レバー部（１１）に当接することを特徴とする請求項１１から１７のいずれかに記載の排出器。
【請求項１９】
前記可動な第２の排出レバー（１２）は、引っ込んだ状態、移動中、および延長した状態において、
前記排出レバー（１）の前記レバー機構（２０）によって移動されない前記第１の排出レバー部（１１）に当接することを特徴とする請求項１１から１７のいずれかに記載の排出器。
【請求項２０】
前記レバー（２１、２２）は、前記排出レバー（１）の前記可動な第２の排出レバー部（１２）の上と、前記電気駆動装置によって移動されない前記排出器（１００）の部材（１０４）の上に提供されていることを特徴とする請求項１６又は１７に記載の排出器。
【請求項２１】
前記排出レバー（１）の直線的に移動される前記第２の排出レバー部（１２）は、前記電気駆動装置によって駆動される前記排出レバー（１）の前記第１の排出レバー部（１１）によってガイドされることを特徴とする請求項１から２０のいずれかに記載の排出器。
【請求項２２】
前記排出レバー（１）は、伸縮性であることを特徴とする請求項１から２１のいずれかに記載の排出器。
【請求項２３】
家具枠体（１０１）と、可動に取り付けられた家具部（１０２）と、請求項１から２２のいずれかに記載の前記可動な家具部（１０２）を排出させる排出器（１００）とを含んでいることを特徴とする家具（１１０）。
【発明の詳細な説明】
【技術分野】
【０００１】
本発明は、電気駆動装置（特に電動モータ）によって駆動可能な排出レバーを含んだ、家具枠体の閉位置から可動家具部を排出させるための排出器に関する。この排出レバーは、第１の排出レバー部と、それに対して可動な第２のレバー部とを有する。
【０００２】
本発明は、家具枠体と、可動に取り付けられた家具部と、その可動家具部を排出させるための排出器とを含んだ家具にも関する。
【背景技術】
【０００３】
そのような排出器は、従来技術において既に知られている。主に、引出し、または家具のフラップ扉がそのような排出器によって排出され、ユーザフレンドリーな家具を提供する。
【０００４】
このように、例えば特許文献１は、家具枠体の閉端位置から可動家具部を排出させる排出器のための排出レバーを開示している。この排出器は、長形レバー本体を含んでおり、このレバー本体は、長さが変化するように設計されている。
【０００５】
さらに、特許文献２は、家具枠体に装着できる排出装置を開示している。この排出装置は、接触面を有する排出レバーを含んでおり、非使用位置から使用位置へと旋回できるように運搬部に取り付けられており、その長手方向に、回転取付部に接続されたレバーアームと、そのレバーアームに接続された延伸肢部とを含んでおり、その延伸肢部は、排出レバーの外側旋回運動の方向に折畳めるようレバーアームに旋回式に取り付けられている。
【０００６】
さらに特許文献３は、長さが調節できるように設計された排出レバーを示しており、（特に第１の家具部の距離を調節）第１の家具部は、その距離を動くことができ、排出レバーの旋回動作に伴って駆動される。
【先行技術文献】
【特許文献】
【０００７】
【特許文献１】国際公開第２００８／０９２１７６Ａ１号パンフレット（２００７年１２月１２日）
【特許文献２】国際公開第２０１０／０１５５１３Ａ１号パンフレット（２００９年７月２２日）
【特許文献３】西独国実用新案出願公開第２０２００６０１１０３９Ｕ１号明細書（２００７年１２月６日）
【発明の概要】
【発明が解決しようとする課題】
【０００８】
本発明の目的は、可動家具部を排出するための、改良された排出器の提供である。
【課題を解決するための手段】
【０００９】
本発明の目的は、請求項１に記載の排出器によって達成できる。
【００１０】
開運動に伴って長さが変化する排出レバーによって、排出プロセスは、排出動程と、伝達されるトルクとに関して影響を受ける。
【００１１】
これまでは異なる排出レバー（さらに短いかさらに長い）を製造しなければならなかったが、本発明では、単一で、長さが変化する排出レバーによって代替でき、全体として製造コストの低減につながる。
【００１２】
排出プロセス中の排出レバーの長さが変化するように、２つの排出レバー部を相対的に移動させることで、排出レバーを曲げることが回避され、曲げが介在しない動作が可能となり、さらに安定した排出レバーが提供される。
【００１３】
本発明のさらに有利な実施態様は、「請求の範囲」にて定義されている。
【００１４】
排出レバーが排出プロセス中にその長さを増加させると特に有利であることが証明されている。開運動と“共に成長する”排出レバーは、排出レバーが長くなるにつれて改善された排出プロセスの達成を可能にする。このことによって排出レバーが、さらに長い時間、さらに長い排出動程に渡って可動家具部に接続されている状態が提供され、好ましい排出プロセスとなる。
【００１５】
後退した状態では、そのような排出レバーは、狭いスペースに納まり、レバーのスペースが当初は小さいので、運動を開始するときに良好なトルク特性を示す。
【００１６】
狭い家具枠体の場合でも、少しのスペースを必要とするだけであるため、利用可能であり、このように長さが変えられる排出レバーは、大型の排出レバーの場合よりもさらに容易に排出器に一体化できる。
【００１７】
排出プロセス中に排出レバーがその長さを減少させると有利であることがさらに証明されている。排出プロセス中に長さが減少する排出レバーは、伝達されるトルクにも好適な影響を与えることができる。
【００１８】
調節装置が純粋に機械的設計による完全に機械的構造のものであり、および／またはレバー機構を有し、および／または、調節装置が安価に製造でき、伝達機構を有することが特に有利であることが証明されている。なぜなら、単純に機械式にレバー機構および／または伝達機構によって排出レバーの長さの変化が達成できるからである。
【００１９】
好適実施態様では、調節装置は、少なくとも部分的に、好適には実質的に完全に、排出レバーの内部に提供されている。調節装置は、実質的に完全に排出レバーの内部、特に伝達機構が関与する設計形態によって提供でき、これは小型の構造となり、従ってコンパクトな排出器が提供される。
【００２０】
好適実施態様では、排出レバーは、少なくとも第１の排出レバー部と少なくとも第２の排出レバー部とを有しており、第２の排出レバー部は、第１の排出レバー部に対して可動に、好適には実質的に直線的に可動に設計されている。
【００２１】
さらに、好適には、調節装置は、少なくとも部分的に排出レバー上に提供されており、および／または、少なくとも、好適には実質的に直線的に可動な、排出レバーの第２の排出レバー部の上に配置されている。
【００２２】
レバー機構が少なくとも一本の、好適には二本の、レバーを有すると特に有利であることが証明されており、排出プロセス中にこのレバーは、可動な第２の排出レバー部を第１の排出レバー部に対して実質的に直線的に移動させる。
【００２３】
特に好適には、可動な第２の排出レバー部は、移動中および延伸状態では、好適には引き込み状態では、排出レバーのレバー機構によって移動されない第１の排出レバー部に緩く当接する。このように、排出レバーの旋回運動は、第２の排出レバー部が第１の排出レバー部から遠ざかることをいつでも保証することができる。
【００２４】
この点で、レバーが排出レバーの可動な第２の排出レバー部の上で、排出器の駆動装置によって移動されない部分の上に提供されていることが特に有利であることが証明されている。可動な第２の排出レバー部の上で排出器の不動部の上にレバーを提供することによって、排出レバーの旋回運動によって、第２の排出レバー部が第１の排出レバー部から自動的に離れるように移動する。
【００２５】
好適実施態様では、排出レバーの直線的に移動する第２の排出レバー部は、駆動装置によって駆動される排出レバーの第１の排出レバー部によってガイドされる。第２の排出レバー部が第１の排出レバー部によってガイドされるという事実は、永久的に一定である均質な移動が達成されることを意味する。
【００２６】
排出レバーが伸縮性であると有利であることが証明されている。特に伸縮性排出レバー形態のデザインは、コンパクトで頑強な排出レバーを提供し、よって長寿命で可動であり、長さが可変である。
【００２７】
特に、本発明は、家具枠体と、可動に取り付けられた家具部分と、請求項１から１１に記載の可動家具部を排出させるための排出器とを含んだ家具にも関する。
【００２８】
本発明のさらなる詳細や利点は、図面で図示されている実施例に関する特定の説明によってさらに詳細に説明される。
【図面の簡単な説明】
【００２９】
【図１ａ】図１ａは、排出レバーの長さを変えるための調節装置を有する排出器の斜視図である。
【図１ｂ】図１ｂは、図１ａの分解図である。
【図２ａ】図２ａは、長さが変えられた排出レバーの異なる旋回位置を示す平面図である。
【図２ｂ】図２ｂは、長さが変えられた排出レバーの異なる旋回位置を示す平面図である。
【図２ｃ】図２ｃは、長さが変えられた排出レバーの異なる旋回位置を示す平面図である。
【図３ａ】図３ａは、長さが変えられる排出レバーを備えた別の排出器の変形例の多様な旋回位置を示している。
【図３ｂ】図３ｂは、長さが変えられる排出レバーを備えた別の排出器の変形例の多様な旋回位置を示している。
【図３ｃ】図３ｃは、長さが変えられる排出レバーを備えた別の排出器の変形例の多様な旋回位置を示している。
【図３ｄ】図３ｄは、排出器の分解斜視図である。
【図４ａ】図４ａは、伝達機構を備えた長さが変えられる排出レバーを備えた排出器の１変形例の異なる旋回位置の平面図である。
【図４ｂ】図４ｂは、伝達機構を備えた長さが変えられる排出レバーを備えた排出器の１変形例の異なる旋回位置の平面図である。
【図４ｃ】図４ｃは、伝達機構を備えた長さが変えられる排出レバーを備えた排出器の１変形例の異なる旋回位置の平面図である。
【図５】図５は、排出器と延出ガイドとを備えた家具枠体の断面斜視図である。
【図６】図６は、家具、家具枠体、可動家具部、排出器および延出ガイドの一部の斜視図である。
【発明を実施するための形態】
【００３０】
図１ａは、家具枠体１０１（図示せず）の内部またはその上の閉端位置にある可動家具部１０２（図示せず）を排出するための排出器１００の斜視図であり、排出器１００は、それによって排出レバー１が駆動される駆動ユニットを有している。レバー機構２０は、排出レバー１の上に配置されている。レバー機構２０は、調節装置２の一部であり、それによって排出レバー１の長さを変えることができる。
【００３１】
図１ｂは、図１ａで説明した排出器１００の分解図である。排出レバー１は、第１の排出レバー部１１と第２の排出レバー部１２とを有しており、第２の排出レバー部１２は、第１の排出レバー部１１に対して直線式に可動である。この実施例では、第２の排出レバー部１２は、それによって第１の排出レバー部１１上での直線的移動性が達成されるガイド溝１３を有している。第２の排出レバー１２の移動はレバー機構２０によって実行される。この場合、レバー機構２０は、一方は可動な第２の排出レバー部１２（詳細にはそのピン２３）に配置され、他方は排出器１００の不動な部分１０４に可動に配置されている２本のレバー２１と２２とを有する。駆動装置による排出レバー１の外側旋回動作中、第２の排出レバー部１２は、レバー機構２０によって延伸され、排出レバー１は、排出プロセス中にその長さを増加させる。
【００３２】
図２ａから図２ｃは、排出プロセス中に、２本の排出レバー１１と１２の相対的な移動によって、その長さを変化させる、長さが変化する排出レバー１を備えた排出器の多様な旋回位置を示す平面図である。
【００３３】
図２ａは、排出器１００の内側に旋回する排出レバー１を示している。この場合、排出レバー１は、第１の排出レバー部１１と、それに対して可動な第２の排出レバー部１２とを有する。一方が排出器１００の不動な部分１０４に配置され、他方がピン２３によって第２のレバー部１２の上に配置されたレバー機構２０は調節装置２の一部である。
【００３４】
図２ｂでは、排出レバー１は、駆動装置から既に外側に部分的に旋回している。排出レバー１の第２の排出レバー部１２は、調節装置２のレバー機構によって延伸されており、排出プロセス中の排出レバー１の長さの変化を提供している。第２の排出レバー部１２は、第２の排出レバー部１２のピン２３と、排出器１００の移動しない部分１０４に配置された、レバー機構２０のレバー２１によって移動されている。
【００３５】
図２ｃは、実質的に完全に延出した排出レバー１を示しており、第２の排出レバー部１２は、第１の排出レバー部１１から実質的に最大距離で離れている。
【００３６】
図３ａは、駆動可能な排出レバー１を有する排出器１００の変形例の斜視図であり、駆動可能な排出レバー１は、可動家具部１０２（図示せず）がまだ移動していない開始位置にある。
【００３７】
図３ｂは、長さが変化する排出レバー１００を備えた排出器１００の斜視図であり、駆動装置による排出レバー１の旋回運動は既に始まっている。排出レバー１の第２の排出レバー部１２は、調節装置２（とりわけレバー機構２０で構成されている）によって、排出レバー１の第１の排出レバー部１１から伸縮式に延伸している。
【００３８】
図３ｃは、その上で排出レバー１が実質的に完全に駆動装置から外側に旋回している排出器１００を示している。外側への旋回プロセス中、排出レバー１は、調節装置２またはそのレバー機構２０による第１の排出レバー部１１から伸縮式に延伸している第２の排出レバー部１２によって、その長さを変えている（すなわち増加させている）。レバー機構２０（２本のレバー２１と２２を含む）は、一方がピン２３によって第２の排出レバー部１２に、他方が排出器１００の不動な部分１０４に旋回式に取り付けられている。
【００３９】
調節装置２またはそのレバー機構２０は、外側への旋回プロセス中、排出レバー１がその長さを増加させなくて減少させる形態とすることもできる。例えば、伝達されるトルクは当初は小さく、外側への旋回運動の終わりに向かって大きくなることが望ましい。さらに、調節装置２の設計を、排出レバー１の変化が異なる関係で生じる、すなわち直線部が当初は増加し、後で再び減少するか、またはその逆になるようにすることも可能であろう。このように、疑いなく、排出レバー１の長さの変化を設定形態によって変化させることが想定可能である。
【００４０】
図３ｄは、図３ａから図３ｃで説明したような排出器１００の分解図である。ここでは、排出レバー１の部材は、第１の排出レバー部１１内に伸縮式に取り付けられた第２の排出レバー部１２を含む。第２の排出レバー部１２はこの場合、調節装置２によって調節可能である。この目的のため、調節装置２は、そのレバー２１と２２がピン２３によって第２の排出レバー部１２の上にヒンジ式に配置されているレバー機構２０を有する。
【００４１】
第２の排出レバー部１２は、第１の排出レバー部１１によってガイドされる。排出プロセス中、第２の排出レバー部１２は、排出レバー１の第１の排出レバー部１１に対して、移動中の引き込み状態時と、延出状態時の両方で当接する。
【００４２】
図４ａから図４ｃは、２つの排出レバー部１１と１２の相対移動によって、その長さを排出プロセス中に変化させる排出レバー１を含んだ排出器１００の別な変形例を示している。
【００４３】
この点で、排出レバー１の長さを変化させる調節装置２は、レバー機構２０とトランスミッション３０との両方を備えて形成されている。
【００４４】
この特定実施例では、外側への旋回プロセス中に排出レバー１の長さが増減するだけではなく、当初、排出レバー部１２は、旋回プロセス中に、約１２０度まで排出レバー１の内側に移動し、その後に外側に移動する。その移動は、レバー機構２０と、それと関わるトランスミッション３０によるものであり、排出レバー部分は、排出レバー１が完全に延伸したとき、その最大長に達するまで、排出レバー１の全長を増加させる。
【００４５】
従って、当初、排出レバー１外側への旋回運動中、排出レバー１の長さは変化しない。２本の排出レバー部１１と１２の相対移動によって、排出レバー１がその長さを変えるのは、予め設定された旋回角度からのみである（この実施例では約１２０°）。
【００４６】
図４ａは、実質的に内側に旋回した排出器１００の排出レバー１を示している。この実施例では、調節装置２は、レバー４１および４２と、ラック３１、ギヤ３２および調節部材３３を有するトランスミッションとを有するレバー機構２０を含んでいる。排出レバー部１２は、全体的に排出レバー部１１の内部に配置されたままである。
【００４７】
トランスミッション３０もまた排出レバー１の内部に配置されており、排出器１００のコンパクトな形態を達成させている。
【００４８】
排出プロセス中、排出レバー部１２は、１２０°まで内側に移動し（図示せず）、排出レバー１の回転運動の継続後にのみ、排出レバー部１２が調節装置２によって（そのレバー機構２０またはそのトランスミッション３０により）外側に押されて、排出レバー１の長さを増加させる（図４ｂ）。
【００４９】
図４ｂと４ｃは、排出器１００の排出レバー１の２つの異なる旋回位置を示している。この場合、２本の排出レバー部１１と１２の相対移動は、レバー機構２０のレバー４１と４２によって行なわれる。レバー４１は、排出器１００の不動部分１０４にヒンジ式に取り付けられている。排出レバー１の外側旋回運動によって、ラック３１は、レバー機構２０とトランスミッション３０によってギヤ３０により移動され、第２の排出レバー部１２は、第１の排出レバー部１１に対して接続部材３３によって移動する。
【００５０】
レバー機構２０とトランスミッション３０の設計形態のおかげで、排出レバー１の長さを、排出プロセス中に、所望の設定基準に従って変化させることができる。
【００５１】
排出レバー１の上に配置されたカバー（図示せず）は、ギヤ３２とラック３１のためのガイドとして、および安全な接触保護形態として作用する。
【００５２】
図５は、排出器１００と、その上に可動家具部１０２（図示せず）が配置できる延出ガイド１０３とを備えた家具枠体１０１の断面の斜視図である。この図では、排出器１００の排出レバー１は、可動家具部１０２の移動がまだ始まっていない開始位置にある。
【００５３】
図６は、内側に延出ガイド１０３が配置され、その上に可動家具部１０２（この場合は引き出し）が配置されている家具枠体１０１を備えた家具１１０を示している。可動家具部１０２の背後には、長さが変わる排出レバー１によって引出し１０２を排出させる排出器１００が配置されている。
【００５４】
この構造では、排出レバー１は、可動に取り付けられた家具部１０２に当接し、調節装置２（図示せず）は、排出プロセス中に排出レバー１の長さを変化させる。
【００５５】
本発明を解説した実施例によって詳細に説明したが、本発明は、これらの実施例に限定されないことは自明であり、本発明を実施するための方策や変更は想定内である。
【図１ａ】
0005897548.tif 000002
【図１ｂ】
0005897548.tif 000003
【図２ａ】
0005897548.tif 000004
【図２ｂ】
0005897548.tif 000005
【図２ｃ】
0005897548.tif 000006
【図３ａ】
0005897548.tif 000007
【図３ｂ】
0005897548.tif 000008
【図３ｃ】
0005897548.tif 000009
【図３ｄ】
0005897548.tif 000010
【図４ａ】
0005897548.tif 000011
【図４ｂ】
0005897548.tif 000012
【図４ｃ】
0005897548.tif 000013
【図５】
0005897548.tif 000014
【図６】
0005897548.tif 000015